(57)【要約】【課題】FPC又はFFCの挿入のし易さが改善されたFPC又はFFC用コネクタを提供する。【解決手段】FPCコネクタ１は、FPC２の接続端部３が挿入される挿入空間４が形成されたハウジング５と、ハウジング５内に、FPC２の接続端部３の挿入方向Dと直交する方向に複数並べられたコンタクト６とを備え、基板７に搭載されて用いられるものである。挿入空間４の開口方向Eが、基板７の搭載面８の面方向Fと比較して基板７側を向くように構成されている。【選択図】図２
2011222196.tif 000002
【特許請求の範囲】
【請求項１】
FPC又はFFCの接続端部が挿入される挿入空間が形成されたハウジングと、
前記ハウジング内に、前記FPC又はFFCの前記接続端部の挿入方向と直交する方向に複数並べられたコンタクトとを備え、
基板に搭載されて用いられるFPC又はFFC用コネクタであって、
前記挿入空間の開口方向が、前記基板の搭載面の面方向と比較して前記基板側を向くように構成されている、
ことを特徴とするFPC又はFFC用コネクタ。
【請求項２】
FPC又はFFCの接続端部が挿入される挿入空間が形成されたハウジングと、
前記ハウジング内に、前記FPC又はFFCの前記接続端部の挿入方向と直交する方向に複数並べられたコンタクトとを備え、
基板に搭載されて用いられるFPC又はFFC用コネクタであって、
前記挿入空間の開口方向が、前記基板の搭載面から反搭載面へ向くように構成されている、
ことを特徴とするFPC又はFFC用コネクタ。
【請求項３】
請求項１又は２に記載のFPC又はFFC用コネクタであって、
前記挿入空間の開口方向は、前記基板の前記搭載面の面方向に対して略直角である、
ことを特徴とするFPC又はFFC用コネクタ。
【請求項４】
請求項１〜３の何れかに記載のFPC又はFFC用コネクタであって、
前記ハウジングは、前記基板側に突出して前記基板の端面と対向することになる突出部を有し、
前記挿入空間の少なくとも一部は、前記突出部内に形成されている、
ことを特徴とするFPC又はFFC用コネクタ。
【請求項５】
請求項１〜４の何れかに記載のFPC又はFFC用コネクタであって、
前記各コンタクトが、
前記ハウジングに固定され、基端部が前記基板の前記搭載面に対して電気的に接続され、先端部が前記挿入空間の開口方向と実質的に同一の方向へ延びる第１コンタクト部と、
前記ハウジング内で回転可能に支持され、先端部が前記第１コンタクト部の前記先端部と前記挿入空間を挟んで反対側の位置で、前記挿入空間の開口方向と実質的に同一の方向へ延びる第２コンタクト部と、
を有し、
前記第２コンタクト部が回転操作されることで、前記挿入空間内に挿入された前記FPC又はFFCの前記接続端部が、前記第１コンタクト部の前記先端部と、前記第２コンタクト部の前記先端部とによって挟まれる、
ことを特徴とするFPC又はFFC用コネクタ。
【請求項６】
請求項５に記載のFPC又はFFC用コネクタであって、
前記第２コンタクト部を回転操作するための操作部が更に設けられ、
前記操作部が前記挿入空間から離れる方向へ倒されるように構成されたバックフリップ型である、
ことを特徴とするFPC又はFFC用コネクタ。
【請求項７】
請求項５に記載のFPC又はFFC用コネクタであって、
前記第２コンタクト部を回転操作するための操作部が更に設けられ、
前記操作部が前記挿入空間に近づく方向へ倒されるように構成されたフロントフリップ型である、
ことを特徴とするFPC又はFFC用コネクタ。
【請求項８】
請求項１〜７の何れかに記載のFPC又はFFC用コネクタであって、
前記挿入空間の開口部には、前記挿入空間の開口方向に向かって次第に広がるガイド面が形成されている、
ことを特徴とするFPC又はFFC用コネクタ。
【発明の詳細な説明】
【技術分野】
【０００１】
本発明は、FPC（Flexible Printed Circuits）又はFFC(Flexible Flat Cable)用コネクタに関する。
【背景技術】
【０００２】
特許文献１は、従来の技術として、本願の図９に示すFPCコネクタを開示している。図９（ａ）はＦＰＣコネクタの装着前の状態を示し、図９（ｂ）はＦＰＣコネクタの装着後の状態を示している。一対の平行なプリント配線基板５２の夫々の上面一端部の切り込み端部にレセプタクルコネクタ５３が設けられている。
【０００３】
レセプタクルコネクタ５３は、レセプタクルインシュレータ５４内に設けられたレセプタクルコンタクト５５と、このコンタクト周囲に設けられた補強金具５６と、スライドインシュレータ５７とを備えている。レセプタクルコンタクト５５は、断面コ字状を有し、レセプタクルインシュレータ５４の開口寄りに突出した一対の接触部５５ａ、５５ａの一方の内側に、係合部５５ｂを備え、他方の接触部５５ａの先端は丸くなっている。
【０００４】
スライドインシュレータ５７は、断面Ｌ字形状を備えた板体からなり、また、スライドインシュレータ５７のＬ字形状の短い板体５７ｂは、長い板体５７ｃよりも厚めに形成されており、上方に配置されたスライドインシュレータ５７の短い板体５７ｂは、上方に、下方に配置されたスライドインシュレータ５７は短い板体５７ｂが下方に向くように装着される。このＬ字形状の長い方の板体５７ｃの先端は、斜面５７ａを有して尖っており、挿入前において、この斜面５７ａが基板５２一面に略平行になるように、開口部５８内に、長い板体５７ｃの先端部が浅く挿入されている。
【０００５】
プラグ側のＦＰＣ６０は、Ｕ字形状を有するように折り曲げられたときに、それぞれ対向する一端部に接点部６１が互いに外側方向に、中央部よりも厚く外側部は中央部と段をなすように、形成されている。
【０００６】
このような構成のコネクタを接続するには、図９（ａ）の状態にして、ＦＰＣ６０を仮挿入して、夫々のスライドインシュレータ５７をコンタクト５５内に挿入させるような操作をおこなうと、図９（ｂ）に示すように、装着状態となり、接点部６１と、係合部５５ｂとが互いに圧接する。後に、カバー６５を基板５２の端面に、図示しないねじ等の固定部材で当接固定して、コネクタ５３内への塵の侵入を防止する。
【先行技術文献】
【特許文献】
【０００７】
【特許文献１】特許第２８６９８５１号公報
【発明の概要】
【発明が解決しようとする課題】
【０００８】
上記特許文献１が従来の技術として開示しているFPCコネクタ（レセプタクルコネクタ５３）には、FPCの挿入のし易さの観点で、改善の余地が残されていた。
【０００９】
本願発明の目的は、FPC又はFFCの挿入のし易さが改善されたFPC又はFFC用コネクタを提供することにある。
【課題を解決するための手段】
【００１０】
本願発明の第１の観点によれば、FPC又はFFCの接続端部が挿入される挿入空間が形成されたハウジングと、前記ハウジング内に、前記FPC又はFFCの前記接続端部の挿入方向と直交する方向に複数並べられたコンタクトとを備え、基板に搭載されて用いられるFPC又はFFC用コネクタは、以下のように構成されている。即ち、前記挿入空間の開口方向が、前記基板の搭載面の面方向と比較して前記基板側を向くように構成されている。
【００１１】
ただし、前記基板の前記搭載面は前記FPC又はFFC用コネクタが搭載されている面を意味する。
【００１２】
本願発明の第２の観点によれば、FPC又はFFCの接続端部が挿入される挿入空間が形成されたハウジングと、前記ハウジング内に、前記FPC又はFFCの前記接続端部の挿入方向と直交する方向に複数並べられたコンタクトとを備え、基板に搭載されて用いられるFPC又はFFC用コネクタは、以下のように構成されている。即ち、前記挿入空間の開口方向が、前記基板の搭載面から反搭載面へ向くように構成されている。
【００１３】
ただし、前記基板の前記反搭載面は前記搭載面の裏側の面である。
【００１４】
上記のFPC又はFFC用コネクタは、更に、以下のように構成されている。即ち、前記挿入空間の開口方向は、前記基板の前記搭載面の面方向に対して略直角である。
【００１５】
上記のFPC又はFFC用コネクタは、更に、以下のように構成されている。即ち、前記ハウジングは、前記基板側に突出して前記基板の端面と対向することになる突出部を有する。前記挿入空間の少なくとも一部は、前記突出部内に形成されている。
【００１６】
上記のFPC又はFFC用コネクタは、更に、以下のように構成されている。即ち、前記各コンタクトが、前記ハウジングに固定され、基端部が前記基板の前記搭載面に対して電気的に接続され、先端部が前記挿入空間の開口方向と実質的に同一の方向へ延びる第１コンタクト部と、前記ハウジング内で回転可能に支持され、先端部が前記第１コンタクト部の前記先端部と前記挿入空間を挟んで反対側の位置で、前記挿入空間の開口方向と実質的に同一の方向へ延びる第２コンタクト部と、を有する。前記第２コンタクト部が回転操作されることで、前記挿入空間内に挿入された前記FPC又はFFCの前記接続端部が、前記第１コンタクト部の前記先端部と、前記第２コンタクト部の前記先端部とによって挟まれる。
【００１７】
上記のFPC又はFFC用コネクタは、更に、以下のように構成されている。即ち、前記第２コンタクト部を回転操作するための操作部が更に設けられる。前記操作部が前記挿入空間から離れる方向へ倒されるように構成されたバックフリップ型である。
【００１８】
上記のFPC又はFFC用コネクタは、更に、以下のように構成されている。即ち、前記第２コンタクト部を回転操作するための操作部が更に設けられる。前記操作部が前記挿入空間に近づく方向へ倒されるように構成されたフロントフリップ型である。
【００１９】
上記のFPC又はFFC用コネクタは、更に、以下のように構成されている。即ち、前記挿入空間の開口部には、前記挿入空間の開口方向に向かって次第に広がるガイド面が形成されている。
【発明の効果】
【００２０】
本願発明によれば、以下の効果が発揮される。即ち、前記FPC又はFFC用コネクタから見て前記基板の裏面側から前記FPC又はFFC用コネクタの前記挿入空間に前記FPC又はFFCを挿入するに際し、前記挿入空間の開口方向が前記基板の前記搭載面の面方向に対して平行となるように構成された通常のFPC又はFFC用コネクタを用いた場合は、前記FPC又はFFCを大きく湾曲させる必要がある。これに対し、以上の構成によれば、前記挿入空間の開口方向が前記基板の前記搭載面の面方向と比較して前記基板側を向くように構成されているので、前記FPC又はFFCの前記湾曲の程度を抑えることができる。前記FPC又はFFCの前記湾曲の程度を抑えることができるので、以上の構成のFPC又はFFC用コネクタは、前記FPC又はFFCを前記挿入空間に挿入し易い。
【図面の簡単な説明】
【００２１】
【図１】第１実施形態に係るFPCコネクタの斜視図
【図２】図１の２−２線矢視断面図
【図３】第１実施形態に係るFPCコネクタの作動説明図
【図４】第２実施形態に係るFPCコネクタの断面図
【図５】第２実施形態に係るFPCコネクタの作動説明図
【図６】第３実施形態に係るFPCコネクタの断面図
【図７】第４実施形態に係るFPCコネクタの断面図
【図８】第４実施形態に係るFPCコネクタの作動説明図
【図９】特許文献１の図４に相当する図
【発明を実施するための形態】
【００２２】
（第１実施形態）
以下、図１〜図３を参照しつつ、第１実施形態に係るFPCコネクタについて説明する。
【００２３】
図１に示すFPCコネクタ１（FPC又はFFC用コネクタ）は、図２に示すようにFPC２の接続端部３が挿入される挿入空間４が形成されたハウジング５と、ハウジング５内に、FPC２の接続端部３の挿入方向Dと直交する方向（図２の紙面に対する法線方向）に複数並べられたコンタクト６（図１も併せて参照）とを備え、基板７に搭載されて用いられるものであって、本実施形態において、挿入空間４の開口方向E（挿入方向Dと反対の方向）は、基板７の搭載面８の面方向Fと比較して基板７側を向くように、更に言えば、基板７の搭載面８の面方向Fに対して略直角となるように紙面下向きに構成されている。なお、本明細書においては、図２に示すように、基板７の搭載面８はFPCコネクタ１が搭載されている面を意味し、反搭載面７ｒは搭載面８の裏側の面である。このFPCコネクタ１は、本実施形態ではZIF（Zero Insertion Force）構造に構成されており、図１に示すようにハウジング５の幅方向端面５ａに設けられた一対の補助金具９を介して図２に示す基板７の搭載面８に固定されるようになっている。参考までに、本実施形態に係るFPCコネクタ１は、高さが４ｍｍであり幅が９ｍｍである。
【００２４】
（ハウジング５）
ハウジング５は、図２に示すように、コンタクト６を保持するハウジング本体１０と、ハウジング本体１０から基板７側に突出して基板７の端面７ａと対向することになる突出部１１と、コンタクト６を開閉操作するための加圧部材１２（操作部）とを備えている。また、本実施形態に係るFPCコネクタ１は、加圧部材１２を挿入空間４から離れる方向へ倒されるように構成された所謂バックフリップ型に構成されている。
【００２５】
上記の挿入空間４は、図２に示す断面視で、ハウジング５のハウジング本体１０と突出部１１に連なるように、開口方向Eが突出部１１の下面１１ａに対して直交するように形成されている。即ち、挿入空間４は、一部がハウジング本体１０内に形成され、一部が突出部１１内に形成されている。そして、挿入空間４の開口部４ａには、挿入空間４の開口方向Eに向かって次第に広がる一対のガイド面１１ｂが形成されている。従って、この一対のガイド面１１ｂは、図２に示す断面視で略逆V字状を形成する。
【００２６】
また、ハウジング５の先端側端面５ｂには、複数のコンタクト６を挿入するためのキャビティ１３が所定ピッチで多数、形成されている。ハウジング５のハウジング本体１０は、キャビティ１３を上下に挟む底壁１０ｐと上壁１０ｑを有している。一方、突出部１１は、キャビティ１３の基板７側を塞ぐ側壁１１ｃと、ハウジング５の先端側端面５ｂの下端５ｃを補強するための補強梁１１ｄとを有している。
【００２７】
（コンタクト６）
コンタクト６は、図２に示すように、ハウジング５に対して固定される固定片１４（第１コンタクト部）と、ハウジング５内で若干回転することが可能な可動片１５（第２コンタクト部）と、固定片１４と可動片１５を連結する連結部１６と、固定片１４を基板７の搭載面８に対して電気的に接続するための端子部１７とを主たる構成として備え、略L字状に形成されている。そして、コンタクト６をハウジング５の先端側端面５ｂ側からキャビティ１３内に挿入することで、コンタクト６はハウジング本体１０によって保持されるようになっている。
【００２８】
固定片１４は、略L字状であって、基板７の搭載面８に対して端子部１７を介して電気的に接続される基端部１４ａと、基端部１４ａから挿入空間４の手前に至るまで基板７の搭載面８の面方向Fに延びる本体部１４ｂと、本体部１４ｂの先端から挿入空間４の開口方向Eと実質的に同一の方向へ延びる先端部１４ｃとから構成されている。
【００２９】
可動片１５は、略L字状であって、基板７と固定片１４の基端部１４ａを挟んで反対側に形成される基端部１５ａと、基端部１５ａからハウジング５の先端側端面５ｂの手前に至るまで基板７の搭載面８の面方向Fに延びる本体部１５ｂと、固定片１４の基端部１４ａと挿入空間４を挟んで反対側の位置で、本体部１５ｂの先端から挿入空間４の開口方向Eと実質的に同一の方向へ延びる先端部１５ｃとから構成されている。
【００３０】
そして、略L字状の固定片１４と、略L字状の可動片１５とは図２の断面視で全体に亘って略平行な関係となっている。上記の連結部１６は、固定片１４の本体部１４ｂと、可動片１５の本体部１５ｂとを連結している。固定片１４の基端部１４ａと、可動片１５の基端部１５ａとの間には加圧部材１２のカム部１２ａが挿入されている。この構成で、加圧部材１２を挿入空間４から離れる方向へ押し倒すと、加圧部材１２のカム部１２ａが可動片１５の基端部１５ａを押し上げ、可動片１５が若干時計回りに回転操作される。そして、この結果、可動片１５の先端部１５ｃは、固定片１４の先端部１４ｃに対して接近する。ここで、図２におけるコンタクト６の状態を挿入空間４を開いているという意味で開状態と称し、図３におけるコンタクト６の状態を挿入空間４を閉じているという意味で閉状態と称する。
【００３１】
（作動）
次に、FPCコネクタ１と基板７を挟んで反対側（図２で基板７の反搭載面７ｒ側）でFPCコネクタ１の突出部１１に向かって、基板７の搭載面８の面方向Fと略平行に延びるFPC２をFPCコネクタ１に接続する際のFPCコネクタ１の作動を説明する。本実施形態に係るFPCコネクタ１は、図２に示すように、FPC２のケーブル長には殆ど余裕がなく、本来であれば、FPC２を基板７の端面７ａの極めて近傍で、概ね１８０°折り返されるようにきつく湾曲してFPCコネクタ１に挿入しなければならない、といった挿入のし易さの観点から見れば極めて悪条件の状況において特に有用である。
【００３２】
先ず、図１に示すFPCコネクタ１を図２に示すように基板７に取り付ける。このとき、ハウジング５の加圧部材１２は予め起立状態となっており、従って、コンタクト６は挿入空間４を開いた開状態となっている。
【００３３】
次に、図２に示すように、FPC２の先端部２ａを略９０度湾曲させた上で、FPC２の接続端部３を紙面下向きの挿入空間４に挿入する。このとき、挿入空間４の開口部４ａに略逆V字状を構成する一対のガイド面１１ｂが形成されているので、ガイド面１１ｂのガイド機能により、FPC２の接続端部３は紙面下向きの挿入空間４に挿入し易くなっている。なお、FPC２の接続端部３は、接続端部３の先端が可動片１５に突き当たるまで、挿入空間４内に挿入する。
【００３４】
最後に、図３に示すように、加圧部材１２を反時計回りに回転操作することで、コンタクト６を閉状態に切り替え、FPC２の接続端部３とコンタクト６との間の接触を達成する。
【００３５】
（まとめ）
（１）以上説明したように本実施形態においてFPCコネクタ１は、以下のように構成されている。即ち、FPCコネクタ１は、FPC２の接続端部３が挿入される挿入空間４が形成されたハウジング５と、ハウジング５内に、FPC２の接続端部３の挿入方向Dと直交する方向に複数並べられたコンタクト６とを備え、基板７に搭載されて用いられる。挿入空間４の開口方向Eが、基板７の搭載面８の面方向Fと比較して基板７側を向くように構成されている。◆即ち、FPCコネクタ１から見て基板７の反搭載面７ｒ側からFPCコネクタ１の挿入空間４にFPC２を挿入するに際し、挿入空間４の開口方向Eが基板７の搭載面８の面方向Fに対して平行となるように構成された通常のFPCコネクタを用いた場合は、FPC２を大きく湾曲させる必要がある。これに対し、以上の構成によれば、挿入空間４の開口方向Eが基板７の搭載面８の面方向Fと比較して基板７側を向くように構成されているので、FPC２の湾曲の程度を抑えることができる。FPC２の湾曲の程度を抑えることができるので、以上の構成のFPCコネクタ１は、FPC２を前記挿入空間に挿入し易い。
【００３６】
この結果、FPC２の配線作業に要する時間を短縮することができる。
【００３７】
（２）また、ハウジング５は、基板７側に突出して基板７の端面７ａと対向することになる突出部１１を有する。挿入空間４の一部は、突出部１１内に形成されている。◆以上の構成によれば、挿入空間４の挿入深さを十分に確保することができる。
【００３８】
（３）また、各コンタクト６が、ハウジング５に固定され、基端部１４ａが基板７の搭載面８に対して電気的に接続され、先端部１４ｃが挿入空間４の開口方向Eと実質的に同一の方向へ延びる固定片１４と、ハウジング５内で回転可能に支持され、先端部１５ｃが固定片１４の先端部１４ｃと挿入空間４を挟んで反対側の位置で、挿入空間４の開口方向Eと実質的に同一の方向へ延びる可動片１５と、を有する。可動片１５が回転操作されることで、挿入空間４内に挿入されたFPC２の接続端部３が、固定片１４の先端部１４ｃと、可動片１５の先端部１５ｃとによって挟まれる。◆以上の構成によれば、挿入空間４の開口方向Eが基板７の搭載面８の面方向Fとは異なる方向となるように構成された特殊なFPCコネクタ１であっても、問題なく、ZIF（Zero Insertion Force）型とすることが可能となる。
【００３９】
（４）また、挿入空間４の開口部４ａには、挿入空間４の開口方向Eに向かって次第に広がるガイド面１１ｂが形成されている。◆以上の構成によれば、FPC２の挿入空間４への挿入が一層容易となる。
【００４０】
以上に本願発明の好適な第１実施形態を説明したが、上記第１実施形態は以下のように変更することができる。
【００４１】
上記第１実施形態に係るFPCコネクタ１は、FPC２を基板７に対して接続するものであるとしたが、FFCを基板７に対して接続することもできる。この意味で、FPCコネクタ１は、FPC又はFFC用コネクタということができる。
【００４２】
また、上記第１実施形態に係るFPCコネクタ１において、挿入空間４の開口方向Eは、図２に示すように基板７の搭載面８の面方向Fと比較して基板７側を向くように設定されている。換言すれば、挿入空間４の開口方向Eは、基板７の搭載面８から反搭載面７ｒへ向くように設定されている。更に詳しくは、図２に示すように、挿入空間４の開口方向Eは、基板７の搭載面８の面方向Fに対して略直角となるように紙面下向きに構成されている。しかし、これに代えて、挿入空間４の開口方向Eは、図２において、紙面右斜め下向きであってもよいし、紙面左斜め下向きであってもよい。即ち、挿入空間４の開口方向Eが、少なくとも基板７の搭載面８の面方向Fと比較して基板７側を向くように構成されていれば、換言すれば僅かにでも基板７の搭載面８から反搭載面７ｒへ向くように構成されていれば、上述した挿入のし易さに関する効果は問題なく発揮される。
【００４３】
（第２実施形態）
以下、図４及び図５を参照しつつ、第２実施形態に係るFPCコネクタ１について説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。
【００４４】
即ち、上記第１実施形態に係るFPCコネクタ１は、図３に示すように、加圧部材１２が挿入空間４から離れる方向へ倒されるように構成されたバックフリップ型とした。しかし、これに代えて、図４及び図５に示すように、FPCコネクタ１は、加圧部材１２が挿入空間４に近づく方向へ倒されるように構成されたフロントフリップ型としてもよい。
【００４５】
（第３実施形態）
以下、図６を参照しつつ、第３実施形態に係るFPCコネクタ１について説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。
【００４６】
本実施形態に係るコンタクト６は、図２に示すコンタクト６の固定片１４のみによって構成されている。また、ハウジング５は、キャビティ１３の先端側端面５ｂ側を塞ぐ着脱可能な閉塞具５ｄを更に備えている。コンタクト６は、閉塞具５ｄがキャビティ１３から外された状態でハウジング５の先端側端面５ｂ側からキャビティ１３内へ挿入されて装着される。
【００４７】
本実施形態において上記固定片１４の先端部１４ｃは、図６に示すようにキャビティ１３に装着した状態の閉塞具５ｄに対して押し付けられるように形成されている。従って、本実施形態に係るFPCコネクタ１は、FPC２の接続端部３を挿入空間４に挿入しただけで、FPC２の接続端部３とコンタクト６との接触が達成される、所謂NON-ZIF型に構成されている。
【００４８】
（第４実施形態）
以下、図７及び図８を参照しつつ、第４実施形態に係るFPCコネクタ１について説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。
【００４９】
本実施形態においてFPCコネクタ１は、図２に示す上記第１実施形態に係るFPCコネクタ１から加圧部材１２と可動片１５の基端部１５ａを省略した構成である。図７に示すように、本実施形態に係るコンタクト６は、更に、FPC２の接続端部３が挿入空間４に挿入されていない段階で既に閉状態とされている。従って、本実施形態に係るFPCコネクタ１は、図８に示すようにFPC２の接続端部３を挿入空間４に挿入しただけで、FPC２の接続端部３とコンタクト６との接触が達成される、所謂NON-ZIF型に構成されている。
【符号の説明】
【００５０】
１  FPCコネクタ
２  FPC
３  接続端部
４  挿入空間
５  ハウジング
６  コンタクト
７  基板
７ａ  端面
７ｒ  反搭載面
８  搭載面
１１  突出部
１１ｂ  ガイド面
１２  加圧部材
１３  キャビティ
１４  固定片
１４ａ  基端部
１４ｂ  本体部
１４ｃ  先端部
１５  可動片
１５ａ  基端部
１５ｂ  本体部
１５ｃ  先端部
D  挿入方向
E  開口方向
F  面方向
【図１】
2011222196.tif 000003
【図２】
2011222196.tif 000004
【図３】
2011222196.tif 000005
【図４】
2011222196.tif 000006
【図５】
2011222196.tif 000007
【図６】
2011222196.tif 000008
【図７】
2011222196.tif 000009
【図８】
2011222196.tif 000010
【図９】
2011222196.tif 000011